(57)【要約】      （修正有）【課題】取り外し時に端子とハウジングとの干渉を防止でき且つハウジング内に塵や埃が侵入し難い差込コネクタを提供する。【解決手段】差込コネクタは、接続端子１００と、ハウジング３００とを備えている。ハウジング３００は、収容凹部３４０ａ、３４０ｂと、内壁３４４ａ、３４４ｂと、収容凹部３４０ａ、３４０ｂの縁部３４３ａとを有する。収容凹部３４０ａ、３４０ｂ内には接続端子１００が部分的に収容されている。内壁３４４ａ（軸支部）は、接続端子１００が少なくとも所定位置から第１方向の一方側に所定角度回動可能となるように、接続端子１００を軸支している。縁部３４３ａは、所定位置に位置した接続端子１００に隣接配置されている。縁部３４３ａの下側部には、接続端子１００が所定角度回動したときに接続端子１００が縁部３４３ａに接触しないようにカットされたカット部３４３ａ１が設けられている。【選択図】図４Ｂ
2015011821.tif 000002
【特許請求の範囲】
【請求項１】
接続端子と、
ハウジングとを備えており、
前記ハウジングは、前記接続端子が部分的に収容された収容凹部と、
前記接続端子が少なくとも所定位置から第１方向の一方側に所定角度回動可能となるように、前記接続端子を前記収容凹部内で軸支した軸支部と、
前記接続端子に隣接配置された前記収容凹部の前記第１方向の一方側の縁部とを有しており、
前記縁部の下側部又は上側部には、前記接続端子が前記所定角度回動したときに当該接続端子が当該縁部に接触しないようにカットされたカット部が設けられている差込コネクタ。
【請求項２】
請求項１記載の差込コネクタにおいて、
前記接続端子は、第１接点部と、
前記第１接点部よりも第１方向の寸法が大きい幅広部と
前記幅広部の前記第１接点部側且つ前記第１方向の一方側の角部とを有しており、
前記ハウジングの前記縁部には、前記接続端子が前記所定位置に位置したときに前記幅広部の前記角部が隣接配置されており、
前記接続端子が前記所定角度回動したときに、当該接続端子の前記角部が前記ハウジングの前記縁部の下側部に設けられたカット部の下側又はカット部内に配置される差込コネクタ。
【請求項３】
先行する何れかの請求項に記載の差込コネクタにおいて、
前記ハウジング内に収容された基板と、
前記ハウジング内に収容されており且つ前記基板に接続された中継端子とをさらに備えており、
前記接続端子は、第２接点部をさらに有しており、
前記第２接点部は、少なくとも前記接続端子が前記所定位置に位置したときに前記中継端子に接触する差込コネクタ。
【請求項４】
請求項３記載の差込コネクタにおいて、
前記接続端子が前記所定角度回動するとき、前記第２接点部が前記中継端子上を摺動する差込コネクタ。
【請求項５】
請求項３〜４の何れかの請求項に記載の差込コネクタにおいて、
前記ハウジングの前記軸支部は、前記接続端子が前記所定位置から前記第１方向の他方側に回動可能となるように、当該接続端子を軸支しており、
前記接続端子が前記第１方向の他方側に回動するとき、前記第２接点部が前記中継端子上を摺動する差込コネクタ。
【請求項６】
請求項１〜２の何れかの請求項に記載の差込コネクタにおいて、
前記ハウジング内に収容された基板をさらに備えており、
前記基板上には、導体が設けられており、
前記接続端子は、第２接点部をさらに有しており、
前記第２接点部は、少なくとも前記接続端子が前記所定位置に位置したときに前記導体に接触する差込コネクタ。
【請求項７】
請求項３〜６の何れかに記載の差込コネクタにおいて、
前記接続端子は、導電性を有する端子本体をさらに有しており、
前記端子本体は、前記第１接点部および前記第２接点部を有しており、
前記幅広部は、前記端子本体の前記第１、第２接点部の間の部分に設けられた絶縁樹脂である差込コネクタ。
【請求項８】
凹部を有する接続端子と、
ハウジングとを備えており、
前記ハウジングは、前記接続端子が部分的に収容された収容凹部と、
前記接続端子が少なくとも所定位置から第１方向の一方側に所定角度回動可能となるように、前記接続端子を前記収容凹部内で軸支した軸支部と、
前記接続端子の凹部に隣接配置された前記収容凹部の前記第１方向の一方側の縁部とを有しており、
前記縁部は、前記接続端子が前記所定角度回動したときに、当該接続端子の凹部に挿入される差込コネクタ。
【発明の詳細な説明】
【技術分野】
【０００１】
本発明は、差込コネクタに関する。
【背景技術】
【０００２】
この種の差込コネクタとしては下記特許文献１に記載されたものがある。このコネクタはコンセントに接続可能なプラグである。このプラグは、一対の接続端子と、ハウジングと、突起とを備えている。一対の接続端子はコンセントの接続孔に挿脱可能である。ハウジングの長さ方向の第１端部には、長さ方向の一方側に開口した収容穴が設けられている。接続端子の基端部がハウジングの収容穴内に収容され、接続端子の先端部が収容穴から突出している。接続端子の基端部は、当該接続端子が回動自在となるように、ハウジングの収容穴内で支持されている。突起は、ハウジングの第１端部に設けられ且つ接続端子の回動方向の一方に延びている。突起の先端をコンセントの壁に当接させ、当該先端を支点としてプラグを回動させると、接続端子が突起側に回動しつつコンセントの接続孔から抜ける。
【先行技術文献】
【特許文献】
【０００３】
【特許文献１】特開平０８−１７１９５９号公報
【発明の概要】
【発明が解決しようとする課題】
【０００４】
ハウジングの収容穴の回動方向の寸法は、接続端子の回動範囲よりも大きく設定されている。このため、接続端子が回動するときに当該接続端子がハウジングの収容穴の縁部に干渉しない。しかし、接続端子と収容穴の縁部との間に大きな隙間が生じるため、この隙間からハウジング内に塵や埃が侵入する恐れがあった。
【０００５】
本発明は、上記事情に鑑みて創案されたものであって、その目的とするところは、取り外し時に端子とハウジングとの干渉を防止でき且つハウジング内に塵や埃が侵入し難い差込コネクタを提供することにある。
【課題を解決するための手段】
【０００６】
上記課題を解決するために、本発明の第１差込コネクタは、接続端子と、ハウジングとを備えている。前記ハウジングは、収容凹部と、軸支部と、前記収容凹部の第１方向の一方側の縁部とを有している。前記収容凹部は、前記接続端子が部分的に収容されている。前記軸支部は、前記接続端子が少なくとも所定位置から第１方向の一方側に所定角度回動可能となるように、前記接続端子を前記収容凹部内で軸支している。前記縁部は、前記接続端子に隣接配置されている。前記縁部の下側部又は上側部には、前記接続端子が前記所定角度回動したときに当該接続端子が当該縁部に接触しないようにカットされたカット部が設けられている。
【０００７】
このような態様の第１差込コネクタによる場合、接続端子が収容凹部の縁部に隣接配置されたとしても、前記縁部の下側部又は上側部に設けられたカット部によって、第１方向の一方側に所定角度回動した接続端子と、収容凹部の縁部との干渉を避けることができる。このため、接続端子と収容凹部の縁部との間の隙間を低減することができ、ハウジング内への塵や埃の侵入を抑制することができる。
【０００８】
前記接続端子は、第１接点部と、幅広部と、角部とを有する構成とすることが可能である。前記幅広部は、前記第１接点部よりも第１方向の寸法が大きい構成とすることが可能である。前記角部は、前記幅広部の前記第１接点部側且つ前記第１方向の一方側の角部とすることが可能である。前記ハウジングの前記縁部は、前記接続端子が前記所定位置に位置したときに前記幅広部の前記角部が隣接配置された構成とすることが可能である。前記接続端子が前記所定角度回動したときに、当該接続端子の前記角部が前記ハウジングの前記縁部の下側部に設けられたカット部の下側又はカット部内に配置される構成とすることが可能である。
【０００９】
このような態様の第１差込コネクタによる場合、所定角度回動した接続端子の幅広部の角部が、縁部の下側部に設けられたカット部の下側又はカット部内に入り込むようになっている。このため、所定位置における接続端子と収容凹部の縁部との間の隙間をさらに低減することができ、ハウジング内への塵や埃の侵入をさらに抑制することができる。
【００１０】
上記第１差込コネクタは、基板と、中継端子とをさらに備えた構成とすることが可能である。前記基板は前記ハウジング内に収容された構成とすることが可能である。前記中継端子は、前記ハウジング内に収容され且つ前記基板に接続された構成とすることが可能である。前記接続端子は第２接点部をさらに有する構成とすることが可能である。前記第２接点部は、少なくとも前記接続端子が前記所定位置に位置したときに前記中継端子に接触するようになっている。
【００１１】
このような態様の第１差込コネクタによる場合、少なくとも所定位置に位置した接続端子の第２接点部が中継端子に接触し、当該中継端子を介して基板に接続される。よって、接続端子が回動するときに、第２接点部と中継端子との接続部分に負荷がかかり難くなる。
【００１２】
前記接続端子が前記所定角度回動するとき、前記第２接点部が前記中継端子上を摺動する構成とすることが可能である。このような態様の第１差込コネクタによる場合、接続端子が所定角度回動するときに、第２接点部と中継端子との接続部分に負荷がかかり難くなる。
【００１３】
前記ハウジングの前記軸支部は、前記接続端子が前記所定位置から前記第１方向の他方側に回動可能となるように、当該接続端子を軸支した構成とすることが可能である。前記接続端子が前記第１方向の他方側に回動するとき、前記第２接点部が前記中継端子上を摺動する構成とすることが可能である。このような態様の第１差込コネクタによる場合、接続端子が第１方向の他方側に回動するときに、第２接点部と中継端子との接続部分に負荷がかかり難くなる。
【００１４】
前記基板上に導体が設けられた構成とすることができる。この場合、前記接続端子の前記第２接点部は、少なくとも前記接続端子が前記所定位置に位置したときに、上記中継端子に代えて、前記導体に接触する構成とすることが可能である。このような態様の第１差込コネクタによる場合であっても、接続端子が回動するときに、第２接点部と基板の導体との接続部分に負荷がかかり難くなる。
【００１５】
前記接続端子は、導電性を有する端子本体をさらに有する構成とすることが可能である。前記端子本体は、前記第１接点部および前記第２接点部を有する構成とすることが可能である。前記幅広部は、前記端子本体の前記第１、第２接点部の間の部分に設けられた絶縁体とすることが可能である。
【００１６】
本発明の第２差込コネクタは、接続端子と、ハウジングとを備えている。接続端子は凹部を有している。前記ハウジングは、収容凹部と、軸支部と、前記収容凹部の第１方向の一方側の縁部とを有している。前記収容凹部は、前記接続端子が部分的に収容されている。前記軸支部は、前記接続端子が少なくとも所定位置から第１方向の一方側に所定角度回動可能となるように、前記接続端子を前記収容凹部内で軸支している。前記縁部は、前記接続端子の凹部に隣接配置されている。前記縁部は、前記接続端子が前記所定角度回動したときに、当該接続端子の凹部に挿入される。
【００１７】
このような態様の第２差込コネクタによる場合、接続端子が収容凹部の縁部に隣接配置されたとしても、接続端子の凹部によって、第１方向の一方側に所定角度回動した接続端子と、収容凹部の縁部との干渉を避けることができる。このため、接続端子と収容凹部の縁部との間の隙間を低減することができ、ハウジング内への塵や埃の侵入を抑制することができる。なお、第２差込コネクタは、上述した第１差込コネクタの各態様と同様に設計変更することが可能である。
【図面の簡単な説明】
【００１８】
【図１Ａ】本発明の実施例１に係る差込コネクタの正面、平面および右側面から表した斜視図であって、接続端子が所定位置に位置している状態を示す図である。
【図１Ｂ】前記差込コネクタの正面、平面および右側面から表した斜視図であって、接続端子が第２回動位置に位置している状態を示す図である。
【図２Ａ】前記差込コネクタの図１Ａ中の２Ａ−２Ａ部分断面図である。
【図２Ｂ】前記差込コネクタの図１Ａ中の２Ｂ−２Ｂ部分断面図である。
【図２Ｃ】前記差込コネクタの図１Ａ中の２Ｃ−２Ｃ部分断面図である。
【図３Ａ】前記差込コネクタの正面、平面および右側面から表した分解斜視図である。
【図３Ｂ】前記差込コネクタの正面、平面および左側面から表した分解斜視図である。
【図４Ａ】前記差込コネクタの２Ａ−２Ａ部分断面図であって、当該差込コネクタがコンセントに接続された状態を示す図である。
【図４Ｂ】前記差込コネクタの２Ａ−２Ａ部分断面図であって、当該差込コネクタがコンセントに接続され、接続端子が第１回動位置に回動した状態を示す図である。
【図４Ｃ】前記差込コネクタの２Ａ−２Ａ部分断面図であって、当該差込コネクタがコンセントに接続され、接続端子が−Ｚ方向側に回動した状態を示す図である。
【図５】本発明の実施例２に係る差込コネクタの２Ａ−２Ａ部分断面図に対応する図である。
【図６】本発明の実施例３に係る差込コネクタの２Ａ−２Ａ部分断面図に対応する図である。
【発明を実施するための形態】
【００１９】
以下、本発明の実施例１〜３について説明する。
【実施例１】
【００２０】
まず、本発明の実施例１に係る差込コネクタについて図１Ａ〜図４Ｃを参照しつつ説明する。図１Ａ及び図１Ｂに示す差込コネクタは、図４Ａ〜図４Ｃに示すコンセント１０に接続可能なＡＣプラグである。この差込コネクタは、一対の接続端子１００と、回動軸２００ａと、一対の回転軸２００ｂと、ハウジング３００と、回動支持部４００と、中継端子５００と、基板６００と、ブッシュ７００と、ケーブル８００とを備えている。以下、差込コネクタの各構成要素について詳しく説明する。なお、図２Ａ、図３Ａ〜図３Ｂに示すＸおよび−Ｘは差込コネクタの幅方向である。図２Ｂ〜図３Ｂに示すＺおよび−Ｚは差込コネクタの高さ方向であり、特許請求の範囲の第１方向に相当する。Ｚ方向が第１方向の一方側、−Ｚ方向が第１方向の他方側に相当する。図２Ｂ〜図３Ｂに示すＹおよび−Ｙは、差込コネクタの長さ方向である。Ｚおよび−Ｚ方向は、Ｘおよび−Ｘ方向に直交している。Ｙおよび−Ｙ方向は、Ｚおよび−Ｚ方向およびＸおよび−Ｘ方向に直交している。
【００２１】
各接続端子１００は、図１Ａ〜図３Ｂに示すように、端子本体１１０と、幅広部１２０とを有している。端子本体１１０は導電性を有する金属板で構成されている。端子本体１１０は、第１接点部１１１と、第２接点部１１２とを有している。第１接点部１１１は、端子本体１１０のＹ方向側の第１端部である。第２接点部１１２は端子本体１１０の−Ｙ方向側の第２端部である。幅広部１２０は、矩形状の絶縁樹脂である。幅広部１２０は、端子本体１１０の第２接点部１１２よりＹ方向側の部分（すなわち、端子本体１１０の第１、第２接点部１１１、１１２の間の部分）を覆うように、当該部分に固着されている。幅広部１２０のＺおよび−Ｚの寸法は、第１接点部１１１のＺおよび−Ｚ方向の寸法よりも大きい。幅広部１２０は、Ｙ方向側（第１接点部１１１側）およびＺ方向側（第１方向の一方側）の角部１２１を有している。
【００２２】
回動軸２００ａは、図２Ａ、図３Ａおよび図３Ｂに示すように、一対の接続端子１００の幅広部１２０をＸおよび−Ｘ方向に間隔をあけて連結する絶縁樹脂製の円柱である。回動軸２００ａは幅広部１２０に一体化されている。一対の回転軸２００ｂのうちの一方の回転軸２００ｂは、一対の接続端子１００ののうちの一方の接続端子１００の幅広部１２０に設けられ且つＸ方向に延びた円柱である。他方の回転軸２００ｂは、他方の接続端子１００の幅広部１２０に設けられ且つ−Ｘ方向に延びた円柱である。回動軸２００ｂは幅広部１２０に各々一体化されている。回転軸２００ａおよび２００ｂの外径は同じである。回転軸２００ａおよび２００ｂの軸心は、Ｘおよび−Ｘ方向において一直線状に並んでいる。
【００２３】
回動支持部４００は、図２Ｃ、図３Ａおよび図３Ｂに示すように、ベース４１０と、一致のアーム４２０とを有している。アーム４２０は、ベース４１０にＺおよび−Ｚ方向に間隔を空けて設けられ、Ｙ方向に延びている。アーム４２０の間隔は、回動軸２００ａの外径と略同じである。アーム４２０に回動軸２００ａが弾性的に挟持されている。
【００２４】
ハウジング３００は、図１Ａ〜図３Ｂに示すように、互いに組み合わされた絶縁樹脂製の第１、第２ハウジング３００ａ、３００ｂを有している。第１ハウジング３００ａは、第１本体３１０ａと、第１前板３２０ａと、第１後板３３０ａと、一対の第１収容凹部３４０ａと、一対の収容室３５０ａと、複数の突脈３６１ａと、複数の突起３６２ａと、一対の保持部３７０ａとを有している。なお、第１収容凹部３４０ａは、後述の通り、特許請求の範囲の収容凹部の一部に相当する。
【００２５】
第１本体３１０ａは、図３Ａに最も良く示されているように、略半円筒である。第１本体３１０ａのＹ方向側の端には半円板状の第１前板３２０ａが設けられている。第１本体３１０ａの−Ｙ方向側の端には略半円板状の第１後板３３０ａが設けられている。第１後板３３０ａには、半円状の係合凹部３３１ａが設けられている。
【００２６】
一対の第１収容凹部３４０ａは、図３Ａに最も良く示されているように、第１前板３２０ａにＸおよび−Ｘ方向に間隔をあけて設けられている。各第１収容凹部３４０ａは、開口３４１ａと、一対の縁部３４２ａと、縁部３４３ａと、一対の内壁３４４ａと、一対の凹部３４５ａとを有している。なお、第１収容凹部３４０ａの縁部３４３ａが特許請求の範囲の収容凹部の第１方向の一方側の縁部に相当し、第１収容凹部３４０ａの内壁３４４ａが特許請求の範囲の軸支部に相当する。
【００２７】
開口３４１ａは、第１前板３２０ａに設けられている。すなわち、第１収容凹部３４０ａは、開口３４１ａによって、Ｙ方向側に開放されている。縁部３４２ａは、開口３４１ａのＸおよび−Ｘ方向側の縁である。内壁３４４ａは、縁部３４２ａから−Ｙ方向側に延びている。内壁３４４ａ間（すなわち、第１収容凹部３４０ａ内）には、接続端子１００の幅広部１２０が収容されている（図２Ａ参照）。凹部３４５ａは、内壁３４４ａの−Ｚ方向の端部に設けられた円弧状の凹部である。凹部３４５ａの径は、回転軸２００ａおよび２００ｂの外径に対応した形状となっている。一対の凹部３４５ａのうち内側の凹部３４５ａには、回動軸２００ａが嵌合している（図２Ａ参照）。外側の凹部３４５ａには、回動軸２００ｂが嵌合している（図２Ａ参照）。このように内壁３４４ａが接続端子１００を第１収容凹部３４０ａ内で回動自在に軸支している。これにより、接続端子１００は、所定位置からＺ方向側に所定角度（略１４°）回動可能となると共に、所定位置から−Ｚ方向側に所定角度（略９０°）回動可能となる。本実施例１における所定位置は、図１Ａおよび図４Ａに示すように、接続端子１００の第１接点部１１１の先端がＹ方向に向いた位置である。すなわち、所定位置に位置した接続端子１００の第１接点部１１１は、第１収容凹部３４０ａ外に配置されている。以下、接続端子１００が所定位置からＺ方向側に略１４°回動した位置を、第１回動位置（図４Ｂ参照）と称し、接続端子１００が所定位置から−Ｚ方向側に略９０°回動した位置を、第２回動位置（図２Ｂ参照）と称する。第１回動位置に位置した接続端子１００の第１接点部１１１は、第１収容凹部３４０ａ外に配置される。第２回動位置に位置した接続端子１００の第１接点部１１１は、後述する第２収容凹部３４０ｂ内に配置される。
【００２８】
なお、第１回動位置の角度（略１４°）は、接続端子１００がコンセント１０の接続孔１１内で傾斜させても、通常の力（所定位置の接続端子１００を接続孔１１から引き抜くときの力と略同等の力）で接続端子１００を接続孔１１から引き抜くことができる角度である。
【００２９】
縁部３４３ａは開口３４１ａのＺ方向側の縁部（第１収容凹部３４０ａのＺ方向側（第１方向の一方側）の縁部）である。縁部３４３ａは、図２Ｂに示すように、所定位置に位置した接続端子１００の幅広部１２０の角部１２１に間隙を有して隣接配置されている。縁部３４３ａの下側部（−Ｙ方向側の部分）には、接続端子１００が第１回動位置に位置したときに接続端子１００の角部１２１が縁部３４３ａに接触しないようにカットされたカット部３４３ａ１が設けられている。本実施例１では、カット部３４３ａ１は、縁部３４３ａの下側部がＺ方向および−Ｙ方向の成分を含む方向に斜めにカットされたＣ面である。すなわち、カット部３４３ａ１は、Ｚ方向および−Ｙ方向の成分を含む方向に傾斜している。接続端子１００が第１回動位置に位置したときに、図４Ｂに示すように接続端子１００の角部１２１がカット部３４３ａ１の下側（−Ｙ方向側）に配置される。
【００３０】
一対の保持部３７０ａは、図２Ｃに示すように、一対の第１収容凹部３４０ａの内側の内壁３４４ａの間にＹおよび−Ｙ方向に間隔をあけて設けられている。保持部３７０ａの間の間隔は、回動支持部４００のベース４１０の厚み寸法と略同じである。保持部３７０ａに、回動支持部４００のベース４１０のＺ方向側の端部が挟持されている。
【００３１】
一対の収容室３５０ａは、図２Ｂおよび図３Ａに示すように、第１本体３１０ａの第１収容凹部３４０ａより−Ｙ方向側（下側）の部分に、Ｘおよび−Ｘ方向に間隔をあけて設けられている。収容室３５０ａは、第１収容凹部３４０ａに連通している。収容室３５０ａは、−Ｚ方向に開口している。各収容室３５０ａは、一対の内壁３５１ａと、底壁３５２ａとを有している。一対の内壁３５１ａは、第１本体３１０ａにＸおよび−Ｘ方向に間隔をあけて設けられており且つ−Ｚ方向に延びている。底壁３５２ａは、内壁３５１ａの−Ｙ方向側の端の間を連結している。収容室３５０ａ内には、所定位置および第１回動位置に位置した接続端子１００の第２接点部１１２が挿入される。第２回動位置に位置した接続端子１００の第２接点部１１２は第１収容凹部３４０ａ内に挿入される。
【００３２】
突脈３６１ａは、図３Ａに示されているように、第１本体３１０ａに設けられている。突起３６２ａは第１本体３１０ａに設けられている。突脈３６１ａおよび突起３６２ａに基板６００が固定されている。基板６００の一部が収容室３５０ａの開口に面している。
【００３３】
一対の中継端子５００は、図２Ｂに最も良く示されているように、ハウジング３００の収容室３５０ａに収容された金属板であって、基板６００に接続されている。各中継端子５００は、本体部５１０と、接点アーム５２０と、接続片５３０とを有している。本体部５１０は、第１、第２板５１１、５１２を有している。第１板５１１は、収容室３５０ａの底壁３５２ａに当接している。第２板５１２は、第１板５１１の−Ｚ方向側の端に連接されており且つ第１板５１１に対して略直角に折り曲げられている。第２板５１２は基板６００に当接している。接続片５３０は、第２板５１２に連接された金属板であって、基板６００に接続されている。接点アーム５２０は、第１板５１１のＺ方向側の端に連接された金属板であって、Ｙ方向及び−Ｚ方向に折り返されている。接点アーム５２０は、−Ｙ方向に弾性変形可能である。接点アーム５２０は、所定位置に位置した接続端子１００の第２接点部１１２に弾性的に接触する。接続端子１００が所定位置から第１又は第２回動位置に回動するとき（回動過程）、第２接点部１１２が接点アーム５２０上を摺動する。接点アーム５２０は、第２回動位置に位置した接続端子１００の第２接点部１１２に非接触となる。
【００３４】
第２ハウジング３００ｂは、図３Ｂに最も良く示されているように、第２本体３１０ｂと、第２前板３２０ｂと、第２後板３３０ｂと、一対の第２収容凹部３４０ｂと、突脈３５１ｂと、複数の突起３５２ｂと、一対の保持部３６０ｂとを有している。
【００３５】
第２本体３１０ｂは略半円筒である。第２本体３１０ｂが第１本体３１０ａに組み合わされ、ハウジング３００の円筒状の本体をなしている（図２Ｃ参照）。第２本体３１０ｂのＹ方向側の端には半円板状の第２前板３２０ｂが設けられている。第２前板３２０ｂは、第１前板３２０ａに組み合わされている（図２Ｃ参照）。第２本体３１０ｂの−Ｙ方向側の端には略半円板状の第２後板３３０ｂが設けられている。第２後板３３０ｂは、第１後板３３０ａに組み合わされている（図２Ｃ参照）。第２後板３３０ｂには、半円状の係合凹部３３１ｂが設けられている。第１、第２後板３３０ａ、３３０ｂが組み合わされた状態で、係合凹部３３１ａ、３３１ｂが、ブッシュ７００を係合するリング状の凹部となる（図２Ｃ参照）。換言すると、係合凹部３３１ａ、３３１ｂがブッシュ７００を保持しており、ブッシュ７００に挿通されたケーブル８００が係合凹部３３１ａ、３３１ｂを通って第１、第２ハウジング３００ａ、３００ｂ内に引き込まれている。ケーブル８００は基板６００に接続されている。
【００３６】
一対の第２収容凹部３４０ｂは、図３Ｂに最も良く示されているように、第２前板３２０ｂに第１収容凹部３４０ａと同間隔で設けられている。第１、第２収容凹部３４０ａ、３４０ｂが組み合わされ、特許請求の範囲の収容凹部を構成している（図１Ａ〜図１Ｂ参照）。各第２収容凹部３４０ｂは、開口３４１ｂと、一対の縁部３４２ｂと、一対の内壁３４３ｂと、底壁３４４ｂとを有している。
【００３７】
開口３４１ｂは、第２前板３２０ｂに設けられている。すなわち、第２収容凹部３４０ｂは、開口３４１ｂによって、Ｙ方向側に開放されている。縁部３４２ｂは、開口３４１ｂのＸおよび−Ｘ方向側の縁である。内壁３４３ｂは、内壁本体３４３ｂ１と、突出部３４３ｂ２とを有している。内壁本体３４３ｂ１は縁部３４２ｂから−Ｙ方向側に延びている。突出部３４３ｂ２は、内壁本体３４３ｂ１からＺ方向に延びた板であって、第１収容凹部３４０ａの内壁３４４ａに当接し、凹部３４５ａを閉塞している。内側の内壁３４３ｂの突出部３４３ｂ２は、内側の凹部３４５ａ内の回動軸２００ａに当接している。外側の内壁３４３ｂの突出部３４３ｂ２は、外側の凹部３４５ａ内の回動軸２００ｂに当接している。内壁本体３４３ｂ１間（すなわち、第２収容凹部３４０ｂ内）に、第２回動位置に位置した接続端子１００の第１接点部１１１が収容される。底壁３４４ｂは、内壁３４３ｂの内壁本体３４３ｂ１の−Ｙ方向側の端部間を連結している。
【００３８】
一対の保持部３６０ｂは、図２Ｃに最も良く示されているように、一対の第２収容凹部３４０ｂの内側の内壁３４３ｂの間にＹおよび−Ｙ方向に間隔をあけて設けられている。保持部３６０ｂの間の間隔は、回動支持部４００のベース４１０の厚み寸法と略同じである。保持部３６０ｂに、回動支持部４００のベース４１０の−Ｚ方向側の端部が挟持されている。
【００３９】
突脈３５１ｂは、図３Ｂに示すように、第２本体３１０ｂに設けられている。突起３５２ｂは第２本体３１０ｂのＸ方向の端部および−Ｘ方向の端部に設けられた略Ｌ字状の突起である。突脈３５１ｂおよび突起３５２ｂが基板６００に当接している。すなわち、基板６００は、第２ハウジング３００ｂの突脈３５１ｂおよび突起３５２ｂと、第１ハウジング３００ａａの突脈３６１ａおよび突起３６２ａとの間で挟持され、ハウジング３００内に収容されている。基板６００には、図示しない複数種類の電子部品が実装されている。
【００４０】
以下、上述した差込コネクタの製造方法について詳しくご説明する。まず、一対の中継端子５００および基板６００を用意する。この基板６００には、上記電子部品が実装されている。その後、一対の中継端子５００を基板６００に接続させる。その一方で、ブッシュ７００およびケーブル８００を用意する。その後、ケーブル８００をブッシュ７００内に挿通させる。その後、ケーブル８００を基板６００に接続させる。
【００４１】
その後、第１ハウジング３００ａを用意する。その後、中継端子５００を第１ハウジング３００ａの一対の収容室３５０ａに収容させると共に、基板６００を第１ハウジング３００ａの突脈３６１ａおよび突起３６２ａに支持させる。その後、一対の接続端子１００、回動軸２００ａ、一対の回動軸２００ｂおよび回動支持部４００を用意する。この接続端子１００の幅広部１２０間には回動軸２００ａが設けられている。一方の接続端子１００の幅広部１２０から一方の回動軸２００ｂがＸ方向に延びている。他方の接続端子１００の幅広部１２０から他方の回動軸２００ｂが−Ｘ方向に延びている。回動軸２００ａを回動支持部４００のアーム４２０間に挿入し、当該アーム４２０に弾性的に保持させる。その後、回動支持部４００のベース４１０を第１ハウジング３００ａの一対の保持部３７０ａ間に挿入し、嵌合させる。このとき、回動軸２００ａが第１ハウジング３００ａの一対の第１収容凹部３４０ａの内側の内壁３４４ａの凹部３４５ａに挿入される。一対の回動軸２００ｂが一対の第１収容凹部３４０ａの外側の内壁３４４ａの凹部３４５ａに挿入される。これにより、接続端子１００が第１収容凹部３４０ａの内壁３４４ａに回動自在に軸支される。これと共に、接続端子１００の幅広部１２０が第１収容凹部３４０ａ内に収容される。
【００４２】
その後、第２ハウジング３００ｂを用意する。その後、第２ハウジング３００ｂを第１ハウジング３００ａに組み合わせる。すると、第２ハウジング３００ｂの一対の第２収容凹部３４０ｂの内側の内壁３４３ｂの突出部３４３ｂ２が、第１ハウジング３００ａの一対の第１収容凹部３４０ａの内側の内壁３４４ａの凹部３４５ａを閉塞し、凹部３４５ａ内の回動軸２００ａに当接する。第２収容凹部３４０ｂの外側の内壁３４３ｂの突出部３４３ｂ２が、第１収容凹部３４０ａの外側の内壁３４４ａの凹部３４５ａを閉塞し、凹部３４５ａ内の回動軸２００ｂに当接する。これと共に、突脈３５１ｂおよび突起３５２ｂが基板６００に当接する。これにより、基板６００が、第１、第２ハウジング３００ａ、３００ｂの突脈および突起によって挟持される。
【００４３】
以下、上述した差込コネクタをコンセント１０に接続する手順について詳しく説明する。まず、接続端子１００を所定位置に位置させる。すると、接続端子１００の第２接点部１１２がハウジング３００の収容室３５０ａ内に挿入され、中継端子５００に弾性的に接触する。これにより、接続端子１００と基板６００とが中継端子５００を介して接続される。この状態で、図４Ａに示すように、接続端子１００をコンセント１０の接続孔１１に挿入する。これにより、接続端子１００とコンセント１０の図示しない端子とが接続される。
【００４４】
接続端子１００がコンセント１０に接続された状態で、図４Ｂに示すように差込コネクタにＺ方向（図示下方向）に負荷がかかる場合（前者）と、図４Ｃに示すように、差込コネクタに−Ｚ方向（図示上方向）に負荷がかかる場合（後者）とがある。
【００４５】
前者の場合、接続端子１００が回動軸２００ａおよび２００ｂを支点として所定位置から第１回動位置にかけて回動する（すなわち、Ｚ方向側に回動する）。このとき、接続端子１００の幅広部１２０が回動軸２００ａおよび２００ｂを支点としてＺ方向側に回転する。これと共に、接続端子１００の第２接点部１１２が収容室３５０ａ内を移動し、中継端子５００上を摺動する。接続端子１００が第１回動位置に位置すると、接続端子１００がＺ方向に傾斜し、幅広部１２０の角部１２１が第１収容凹部３４０ａの縁部３４３ａのカット部３４３ａ１の下側（−Ｙ方向側）に配置される（入り込む）。よって、角部１２１は縁部３４３ａに接触しない。これと共に、接続端子１００の第２接点部１１２が、第２収容凹部３４０ｂの底壁３４４ｂに当接する。
【００４６】
後者の場合、接続端子１００が回動軸２００ａおよび２００ｂを支点として所定位置から−Ｚ方向側に回動する。このとき、接続端子１００の幅広部１２０が回動軸２００ａおよび２００ｂを支点として−Ｚ方向側に回転し、幅広部１２０の角部１２１より下側部分（−Ｙ方向側の部分）が、第１収容凹部３４０ａの縁部３４３ａのカット部３４３ａ１の下側（−Ｙ方向側）に配置される。よって、幅広部１２０は縁部３４３ａに接触しない。これと共に、接続端子１００の第２接点部１１２が収容室３５０ａ内を移動し、中継端子５００上を摺動する。
【００４７】
以下、上述した差込コネクタとコンセント１０との接続を解除する手順について詳しく説明する。まず、差込コネクタをコンセント１０から離反する方向に引っ張る。すると、接続端子１００がコンセント１０の接続孔１１から引き抜かれる。このとき、図４Ｂに示すように差込コネクタにＺ方向（図示下方向）に負荷がかかる場合（前者）と、図４Ｃに示すように、差込コネクタに−Ｚ方向（図示上方向）に負荷がかかる場合（後者）とがある。なお、前者の場合および後者の場合の差込コネクタの各構成要素の動作は、接続端子１００がコンセント１０に接続された状態で負荷がかかった場合と同様である。
【００４８】
上述した差込コネクタは、コンセント１０から引き抜いた後、接続端子１００を所定位置から第２回動位置に回動させ、接続端子１００を第１、第２収容凹部３４０ａ、３４０ｂに収容させることができる。接続端子１００が第２回動位置に位置すると、接続端子１００が−Ｚ方向に向き、接続端子１００の第１接点部１１１が第２収容凹部３４０ａ内に収容される。これと共に、接続端子１００の第２接点部１１２が、収容室３５０ａから第１収容凹部３４０ａに移動し、中継端子５００と非接触となる。
【００４９】
以上のような差込コネクタは、以下の技術的特徴を有する。第１に、接続端子１００の幅広部１２０とハウジング３００の収容凹部のＺ方向側の縁部３４３ａとの隙間を低減することができる。なぜなら、接続端子１００がＺ方向側に回動するとき、カット部３４３ａ１の下側に幅広部１２０の角部１２１が入り込み、両者の接触を避けることができ、且つ、接続端子１００が−Ｚ方向側に回動するとき、カット部３４３ａ１の下側に角部１２１の下側部分が配置され、両者の接触を避けることができるからである。
【００５０】
第２に、コンセント１０に接続された状態およびコンセント１０から引き抜くときに、当該差込コネクタにＺ方向側又は−Ｚ方向側に負荷がかかり、接続端子１００がＺ方向側又は−Ｚ方向側に回動したとしても、接続端子１００の幅広部１２０とハウジング３００の収容凹部の縁部３４３ａとの接触を避けることができる。
【００５１】
第３に、コンセント１０に接続された状態およびコンセント１０から引き抜くときに、当該差込コネクタにＺ方向側又は−Ｚ方向側に負荷がかかり、接続端子１００がＺ方向側又は−Ｚ方向側に回動したとしても、接続端子１００の第２接点部１１２と中継端子５００との接続部分に負荷がかかり難くなる。なぜなら、接続端子１００が回動するとき、第２接点部１１２が中継端子５００上を摺動するからである。
【実施例２】
【００５２】
次に、本発明の実施例２に係る差込コネクタについて図５を参照しつつ説明する。図５に示す差込コネクタは、縁部３４３ａ’の形状が実施例１の縁部３４３ａの形状と相違している以外、実施例１の差込コネクタと同じ構成である。以下、その相違点についてのみ詳しく説明し、重複する説明は省略する。なお、実施例２の縁部およびカット部は、符号に’を付して、実施例１の縁部およびカット部と区別する。図５では、接続端子１００の第１回動位置に回動した状態が破線で示されている。
【００５３】
縁部３４３ａ’の上側部には、接続端子１００が第１回動位置に位置したときに接続端子１００が縁部３４３ａ’に接触しないようにカットされたカット部３４３ａ１’が設けられている。本実施例２では、カット部３４３ａ１’は、縁部３４３ａ’の上側部がＺ方向およびＹ方向の成分を含む方向に斜めにカットされたＣ面である。すなわち、カット部３４３ａ１’は、Ｚ方向およびＹ方向の成分を含む方向に傾斜している。接続端子１００が第１回動位置に位置したときに接続端子１００の端子本体１１０の角部１２１よりも上側部（Ｙ方向側の部分）がカット部３４３ａ１’の上側（Ｙ方向側）に配置される。よって、接続端子１００と縁部３４３ａ’との接触が避けられる。また、縁部３４３ａ’と幅広部１２０との隙間の寸法は、接続端子１００が所定位置から第２回動位置に回動するときに、縁部３４３ａ’と幅広部１２０との接触が避けられる寸法に設定されている。
【００５４】
このような差込コネクタによる場合であっても、実施例１の差込コネクタと同様の技術的特徴を有する。
【実施例３】
【００５５】
次に、本発明の実施例３に係る差込コネクタについて図６を参照しつつ説明する。図６に示す差込コネクタは、接続端子１００’の幅広部１２０’および縁部３４３ａ’’の形状が実施例１の接続端子１００の幅広部１２０および縁部３４３ａの形状と相違している以外、実施例１の差込コネクタと同じ構成である。以下、その相違点についてのみ詳しく説明し、重複する説明は省略する。なお、実施例３の接続端子および幅広部は、符号に’を付して実施例１の接続端子および幅広部と区別する。実施例３の縁部は、符号に’’を付して、実施例１の縁部と区別する。図６では、接続端子１００’の第１回動位置に回動した状態が破線で示されている。
【００５６】
縁部３４３ａ’’は、第１収容凹部３４０ａのＺ方向側（第１方向の一方側）の縁部である。縁部３４３ａ’’には、カット部が設けられていない。
【００５７】
接続端子１００’は、端子本体１１０と、幅広部１２０’とを有している。端子本体１１０は実施例１の端子本体と同じ構成である。幅広部１２０’は、矩形状の絶縁樹脂である。幅広部１２０’は、端子本体１１０の第２接点部１１２よりＹ方向側の部分（すなわち、端子本体１１０の第１、第２接点部１１１、１１２の間の部分））を覆うように、当該部分に固着されている。幅広部１２０’のＺおよび−Ｚの寸法は、第１接点部１１１のＺおよび−Ｚ方向の寸法よりも大きい。幅広部１２０’は、ＹおよびＺ方向側の角部には、凹部１２１’が設けられている。凹部１２１’は、縁部３４３ａ’’に隣接配置されている。
【００５８】
接続端子１００’が第１回動位置に位置したとき、縁部３４３ａ’’が凹部１２１’に挿入される。よって、接続端子１００’と縁部３４３ａ’’との接触が避けられる。また、縁部３４３ａ’’と幅広部１２０’との隙間の寸法は、接続端子１００’が所定位置から第２回動位置に回動するときに、縁部３４３ａ’’と幅広部１２０’との接触が避けられる寸法に設定されている。
【００５９】
このような差込コネクタによる場合であっても、実施例１の差込コネクタと同様の技術的特徴を有する。
【００６０】
なお、上述した差込コネクタは、上記実施例に限定されるものではなく、特許請求の範囲の記載範囲において任意に設計変更することが可能である。以下、詳しく述べる。
【００６１】
本発明の接続端子は、ハウジングの収容凹部に部分的に収容されており且つ少なくとも所定位置から第１方向の一方側に所定角度回動可能となるように、前記収容凹部内で軸支されている限り任意に設計変更することが可能である。例えば、上述した接続端子は、第１、第２接点部を有する端子本体のみを有する構成とすることが可能である。すなわち、幅広部は省略可能である。この場合、端子本体の一部が、ハウジングの収容凹部の第１方向の一方側の縁部に隣接配置された構成とすることが可能である。前記一部は、端子本体が第１方向の一方側に所定角度回動したとき、前記縁部の下側部又は上側部に設けられたカット部の下側又はカット部内に配置される構成とすることが可能である。また、前記一部に凹部が設けられた構成とすることが可能である。端子本体が第１方向の一方側に所定角度回動したとき、当該凹部に前記縁部が挿入される構成とすることが可能である。
【００６２】
本発明の接続端子の幅広部は、第１接点部よりも第１方向の寸法が大きい限り任意に設計変更することが可能である。例えば、上述した幅広部は、接続端子の端子本体の第１、第２接点部の間の部分であり且つ第１接点部よりも幅広にされた部分とするとすることが可能である。すなわち、幅広部は、端子本体の第１、第２接点部の間の一部とすることが可能である。この幅広部は、上記実施例１および２の如く、角部１２１を有する構成とすることが可能である。また、前記幅広部は、上記実施例３の如く、凹部１２１’が設けられた構成とすることが可能である。
【００６３】
本発明の接続端子の第１接点部は、少なくとも当該接続端子が所定位置および第１回動位置に位置したとき、ハウジングの収容凹部外に配置される限り任意に設計変更することが可能である。第１接点部は、第２回動位置に位置したときに、ハウジングの収容凹部外に配置される構成とすることが可能である。
【００６４】
本発明の接続端子の第２接点部は、ケーブルが接続された構成に設計変更することが可能である。又は、本発明の接続端子の第２接点部は、少なくとも所定位置で基板上の導体に接触する構成とすることが可能である。この場合、第２接点部は、所定位置から第１回動位置に回動するときおよび／又は所定位置から第２回動位置に回動するとき、前記導体上を摺動する構成とすることが可能である。また、第２接点部は、第２回動位置に位置したとき、前記導体と非接触になる構成とすることが可能である。これらの設計変更例の場合、中継端子は省略可能である。なお、上述した第２接点部は、所定位置でのみ中継端子又は導体に接触する構成とすることが可能である。上述した第２接点部は、第１回動位置および／又は第２回動位置に位置したとき、中継端子又は導体に接触した構成とすることが可能である。
【００６５】
本発明の中継端子は、ハウジング内に収容され、基板に接続されており且つ少なくとも所定位置に位置した接続端子の第２接点部に接触し得る限り任意に設計変更することが可能である。
【００６６】
本発明のハウジングは、上述した接続端子が部分的に収容された収容凹部と、前記接続端子が少なくとも所定位置から第１方向の一方側に所定角度回動可能となるように、前記接続端子を前記収容凹部内で軸支した軸支部と、前記接続端子に隣接配置された前記収容凹部の前記第１方向の一方側の縁部とを有する限り任意に設計変更することが可能である。
【００６７】
例えば、ハウジングの収容凹部の内壁（軸支部）に回動軸が設けられた構成とすることが可能である。この場合、内壁の回動軸が上述した接続端子に設けられた軸孔に挿入されている。これにより、接続端子が少なくとも所定位置から第１方向の一方側に所定角度回動可能となる。また、回動軸は、内壁および接続端子と別体とすることも可能である。また、軸支部は、収容凹部の底壁上に設けられたベースと、このベースに設けられた回動軸とを有する構成とすることが可能である。軸支部の回動軸によって、接続端子が少なくとも所定位置から第１方向の一方側に所定角度回動可能となる。軸支部は、回動支持部と同様の構成とすることが可能である。なお、回動支持部は省略可能である。
【００６８】
本発明のハウジングの収容凹部の第１方向の一方側の縁部は、その下側部又は上側部に、上述した接続端子が第１方向の一方側に所定角度回動したときに当該接続端子が当該縁部に接触しないようにカットされたカット部が設けられた構成とすることが可能である。前記カット部は、前記縁部の下側部に設けられた円弧面であって、第２回動位置に位置した接続端子の一部（例えば、幅広部の角部等）が当該カット部の下側に位置する構成とすることが可能である。前記カット部は、前記縁部の上側部に設けられた円弧面であって、第２回動位置に位置した接続端子の一部が当該カット部の上側に位置する構成とすることが可能である。前記カット部は、前記縁部の下側部に設けられた凹部であって、第２回動位置に位置した接続端子の一部（例えば、幅広部の角部等）が当該カット部内に配置される構成とすることが可能である。前記カット部は、前記縁部の上側部に設けられた凹部であって、第２回動位置に位置した接続端子の一部（例えば、幅広部の角部等）が当該カット部内に配置される構成とすることが可能である。
【００６９】
また、ハウジングは、接続端子に隣接配置された収容凹部の第１方向の他方側の縁部をさらに有する構成とすることが可能である。この第１方向の他方側の縁部は、上述した第１方向の一方側の縁部の対称形状とすることが可能である。この場合、接続端子は、第１方向の一方側および他方側に所定角度（例えば、１４°）回動可能な構成となる。また、接続端子における収容凹部の第１方向の他方側の縁部に隣接配置された一部に凹部が設けられた構成とすることが可能である。この場合、接続端子が第１方向の他方側に所定角度回動したとき、当該凹部に前記第１方向の他方側の縁部が挿入される構成とすることが可能である。
【００７０】
本発明の基板は、上述の通り接続端子の第２接点部にケーブルが接続される場合には、省略可能である。また、本発明のケーブルおよびブッシュも省略可能である。すなわち、差込コネクタは、レセプタクルコネクタにも適応可能である。
【００７１】
なお、上記実施例における差込コネクタの各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。本発明の所定位置は、接続端子の第１接点部がハウジングの収容凹部外に配置され、相手側（コンセント又は後述する雌型コネクタ）の接続孔に挿入可能である限り任意に設計変更することが可能である。本発明の第１回動位置は、接続端子が所定位置から第１方向の一方側に所定角度回動した位置である限り任意に設計変更することが可能である。本発明の第２回動位置は、接続端子が所定位置から第１方向の他方側に所定角度回動した位置である限り任意に設計変更することが可能である。上記所定角度は任意に変更可能である。本発明の差込コネクタは、上述した接続端子を少なくとも一本備えていれば良い。また、本発明の差込コネクタの接続端子は、コンセントの接続孔以外に接続可能な構成とすることが可能である。すなわち、本発明の差込コネクタは、雌型コネクタに接続可能な他のプラグコネクタにも適用可能である。
【符号の説明】
【００７２】
１００・・・・・・接続端子
１１０・・・・・端子本体
１１１・・・・第１接点部
１１２・・・・第２接点部
１２０・・・・・幅広部
１２１・・・・角部
２００ａ・・・・・回動軸
２００ｂ・・・・・回動軸
３００・・・・・・ハウジング
３００ａ・・・・第１ハウジング
３１０ａ・・・第１本体
３２０ａ・・・第１前板
３３０ａ・・・第１後板
３４０ａ・・・第１収容凹部（収容凹部の一部）
３４１ａ・・開口
３４２ａ・・縁部
３４３ａ・・縁部（収容凹部の第１方法の一方側の縁部）
３４４ａ・・内壁（軸支部）
３４５ａ・・凹部
３５０ａ・・・収容室
３６１ａ・・・突脈
３６２ａ・・・突起
３７０ａ・・・保持部
３００ｂ・・・第２ハウジング
３１０ｂ・・・第２本体
３２０ｂ・・・第２前板
３３０ｂ・・・第２後板
３４０ｂ・・・第２収容凹部（収容凹部の残りの部分）
３４１ｂ・・開口
３４２ｂ・・縁部
３４３ｂ・・内壁
３４４ｂ・・底壁
３５１ｂ・・・突脈
３５２ｂ・・・突起
３６０ｂ・・・保持部
４００・・・・・・回動支持部
５００・・・・・・中継端子
５１０・・・・・本体部
５２０・・・・・接点アーム
５３０・・・・・接続片
６００・・・・・・基板
７００・・・・・・ブッシュ
８００・・・・・・ケーブル
【図１Ａ】
2015011821.tif 000003
【図１Ｂ】
2015011821.tif 000004
【図２Ａ】
2015011821.tif 000005
【図２Ｂ】
2015011821.tif 000006
【図２Ｃ】
2015011821.tif 000007
【図３Ａ】
2015011821.tif 000008
【図３Ｂ】
2015011821.tif 000009
【図４Ａ】
2015011821.tif 000010
【図４Ｂ】
2015011821.tif 000011
【図４Ｃ】
2015011821.tif 000012
【図５】
2015011821.tif 000013
【図６】
2015011821.tif 000014